Podtech/llm-jp-corpus-v4-ja_patent huggingface dataset:
(57)【要約】【課題】  現在使い慣れているお玉の機能を損なうことなく、お玉を鍋に入れた時、滑り落ちて中に入り込まないで、しかも鍋の蓋ができ、さらにヒンジ機構で取っ手を折り曲げることにより、冷蔵庫等への収納ができる調理用お玉を提供する。【手段】  お玉の柄の直線部８と取っ手１の直線形状を損なうことなく、柄の直線部８の中央部分を前面に湾曲形成した柄の湾曲部７の上部に湾曲させた柄のヒンジピン部６と同巾のフック５を湾曲形成して接合し、ヒンジピン受け３に挿入してヒンジピン４を貫通させてカシメ、折り曲げを可能とする。柄の固定と折り曲げは、移動リング２の上下移動によって可能とする。【選択図】図１
2007236882.tif 000002
【特許請求の範囲】
【請求項１】
お玉の柄の中央部を前面に湾曲形成して、フックを設けたお玉の形状において、柄の湾曲形成の上部にヒンジ機構を設け、お玉の柄が前面に折れ曲がる構造を備えたことを特徴とするお玉。
【請求項２】
お玉の柄の折り曲げと固定が、上下移動によって可能になる移動リングをヒンジ機構部上方に設けたことを特徴とする請求項１に記載のお玉。
【請求項３】
移動リングとフックの移動リング嵌り込み部の接触面に両面が密着する勾配を設け、お玉の柄が真っすぐに固定できる構造を備えたことを特徴とする請求項１又は請求項２に記載のお玉。
【発明の詳細な説明】
【技術分野】
【０００１】  本発明は、調理時に使用するお玉に関するもので、お玉を鍋の中に入れた状態で鍋の蓋ができ、さらにお玉の柄の上部に設けたヒンジ機構で柄を前面に折り曲げ、取っ手を鍋の蓋の上に載せることができるようにしたものである。
【背景技術】
【０００２】  出願人が既に登録した実用新案登録第３１１２９６９号がある。
【発明の開示】
【発明が解決しようとする課題】
【０００３】  お玉を鍋の中に入れ、蓋をした状態では取っ手が鍋の外側に突き出すためお玉を鍋の中に入れたままの移動は取っ手が他の調理器具と当り不安全である。又、冷蔵庫等への保管が不便である。
【発明を解決するための手段】
【０００４】  お玉の柄の直線部８の中央部分を湾曲させて、お玉の柄の湾曲部７を形成し、さらに、その上部に湾曲させた柄のヒンジピン部６を設けた形状にする。この柄のヒンジピン部６の裏面に同巾で湾曲部を持つフック５を接合し、ヒンジピン受け３の中に挿入して、ヒンジピン４をヒンジピン受け３に設けた穴に貫通させ、お玉の柄を折り曲げ可能とする。
【発明の効果】
【０００５】  お玉の柄の湾曲部７とフック５により、お玉を鍋１１の縁（外周）に引っ掛け、柄の湾曲部７が鍋１１の縁になじんで、蓋１２をすることができ、更に、移動リング２を取っ手１方向に上げることにより、お玉の柄を折り曲げて取っ手１を鍋の蓋１２の上に載せることができるため課題として取り上げた問題点は解決される。
【発明を実施するための最良の形態】
【０００６】  図１と図３を基に本発明の構成を説明する。受け皿９と柄の直線部８からなる一般的な市販のお玉の構成において、柄は柄の直線部８の上部を前方に湾曲させた柄の湾曲部７と、さらに、上部に湾曲させた柄のヒンジピン部６を設けた形状にする。この柄のヒンジピン部６と柄のヒンジピン部６の裏面に柄のヒンジピン部６と同巾で湾曲部を持つフック５を接合して取っ手１に固定されたヒンジピン受け３の中に挿入し、ヒンジピン４をヒンジピン受け３に設けた穴に貫通させて一方側でカシメて固定する。ヒンジピン受け３とフックの移動リング嵌り込み部１０は移動リング２が上下に移動できるようにする。移動リング２とフックの移動リング嵌り込み部１０の接触面に両面が密着する勾配を設け、移動リング２を下げて柄の直線部８と取っ手１の固定ができるようにする。【０００７】  本発明の使用方法は、通常のお玉として使用する場合は移動リング２を取っ手１側に上げ、柄のヒンジピン部６に接合されたフック５が取っ手１に固定されたヒンジピン受け３に真っ直ぐに重ね合わされた時点で移動リング２をヒンジピン側に下げ、フックの移動リング嵌り込み部１０へ嵌め込み、柄の直線部８と取っ手１を固定させる（図１）（図３）。
お玉を折り曲げて使用する場合（図６）は柄の湾曲部７とフック５を鍋の縁に引っ掛け、蓋１２をして移動リング２を取っ手１側に上げ、ヒンジピン受け３を前面に倒して鍋の蓋１２、又は、蓋のつまみ１３の上に載せる。
【図面の簡単な説明】
【０００８】
【図１】お玉全体の斜視図
【図２】お玉の柄を折り曲げた状態の正面図
【図３】ヒンジ部縦方向の中心部断面図
【図４】ヒンジピン受けの斜視図
【図５】移動リングの斜視図
【図６】お玉の折りたたみ使用例の断面図
【符号の説明】
【０００９】    １  取っ手
２  移動リング
３  ヒンジピン受け
４  ヒンジピン
５  フック
６  柄のヒンジピン部
７  柄の湾曲部
８  柄の直線部
９  受け皿
１０  フックの移動リング嵌り込み部
１１  鍋
１２  蓋
１３  蓋のつまみ
【図１】
2007236882.tif 000003
【図２】
2007236882.tif 000004
【図３】
2007236882.tif 000005
【図４】
2007236882.tif 000006
【図５】
2007236882.tif 000007
【図６】
2007236882.tif 000008
(57)【要約】【課題】鍋物のアクを簡単に取り除くための調理器具である。【解決手段】（ア）      アクをおたまでアク取り器に入れたときに、だし汁だけが外に排出するための孔（２）をアク取り器の上下の中間にあけることで、孔の目詰まりを防ぎ、取り出したときにアクが外に出ない。（イ）      アク取り器の底の部分で沸騰しただし汁を逃がすため、底中央部分を下げ、孔（３）の部分を高くすることでだし汁が逃げやすくなる。【選択図】図２
2007236885.tif 000002
【特許請求の範囲】
【請求項１】
鍋物を煮たときに出るアクを、「アク」と「だし汁」に分離させるためのアク取り器。
【請求項２】
アク取り器の底で沸騰しただし汁を逃がすための底部の構造。
【発明の詳細な説明】
【技術分野】
【０００１】この発明は、鍋料理につきもののアクを簡単に取り除くための調理器具である。
アクを取り除くための方法として「おたま」でアクをだし汁ごとすくい、アク取り器に入れると簡単にアクだけを取り除くことができる。
【背景技術】
【０００２】アクを取るための道具として「おたま」または「網」ですくって捨てていた。
【発明の開示】
【発明が解決しようとする課題】
【０００３】アクを「おたま」で取り除いたときにはだし汁も捨てなければならず、「網」ですくったときにはアクがきれいに取りきれなかったり、「網」についたアクをその都度洗って取り除く必要がある。
【課題を解決するための手段】
【０００４】アク取り器本体の上下の中ほどに孔（２）を開け、そこからだし汁だけを排出させる。アクはアク取り器の中に付着する。
本発明は、以上の構成により簡単にアクとだし汁を分離させることができる、調理器具である。
【発明の効果】
【０００５】一般に行われているアクの取り方の欠点。
（ア）      「網」ではすくいにくく、網にアクが付く。
（イ）      「おたま」ではだし汁も同時にすくうので、だし汁も同時に捨てることになる。
本発明品の利点は、アクとだし汁を同時にすくってアク取り器に入れるため簡単にアク取りができる。
アクはあく取り器の内側に残り、だし汁は自然に孔（２）からアク取り器の外に出る。
鍋料理の途中で新たな水、または別に取っただし汁を入れる回数が大幅に減り、鍋料理をしているうちに出るおいしいだし汁を捨てずにすむ。
また、鍋物をした後でよく行われる「おじや」をするときには、中にアクが入ったアク取り器を取り出せばよい。
【発明を実施するための最良の形態】
【０００６】（ア）      発明品の形は図示（１図）の通り。使い方は、まずアク取り器を鍋の中央据付けだし汁をアク取り器の孔（２）より上まで入れる。アクが出てくれば「おたま」でだし汁ごとすくい、アク取り器の中に入れるとアクはアク取り器の中に残り、だし汁は孔（２）からアク取り器の外に排出される。だし汁は循環して使うことができる。
（イ）      アク取り器の底の部分で沸騰しただし汁で、アク取り器は倒れてしまうため、そのだし汁を孔（３）から外へ逃がす。
（ウ）      底部分で沸騰しただし汁が逃げやすいように、孔（３）は高い位置にあけ、アク取り器の底裏部分中央を下げておく。
【図面の簡単な説明】
【０００７】
【図１】透視図
【図２】断面図
【図３】正面図
【図４】平面図
【符号の説明】
【０００８】（１）    本体・・・アク取り器
（２）    孔・・・だし汁排出用孔
（３）    孔・・・底部分で沸騰しただし汁の排出用孔
（４）    だし汁位置
（５）    アク取り器底裏面
【図１】
2007236885.tif 000003
【図２】
2007236885.tif 000004
【図３】
2007236885.tif 000005
【図４】
2007236885.tif 000006
(57)【要約】【課題】歯科治療椅子に患者が仰向けに寝て歯科治療をうける場合、患者が椅子に寝たときに脚が開いてしまう。【解決手段】歯科治療椅子は、レッグレスト１４を有し、寝状態にて診療を受ける際、前記レッグレスト１４に両脚を載せて歯科治療を受ける。レッグレスト１４は、脚を載せる面（部材）１４ａが脚を載せた時に脚の荷重で中央部が下方に撓む撓み部材で構成されている。このため、両脚がレッグレスト１４の中央に自然に寄せられ、脚が開いてしまうようなことはない。【選択図】図１
2007236869.tif 000002
【特許請求の範囲】
【請求項１】
レッグレストを有し、寝状態にて診療を受ける際、前記レッグレストに両脚を載せるようにした歯科治療椅子において、前記レッグレストは、脚を載せた時に脚の荷重で中央部が下方に撓む撓み部材で構成されていることを特徴とする歯科治療椅子。
【請求項２】
前記撓み部材は、両側端がレッグレストのそれぞれの側端に固定された伸縮自在の部材であることを特徴とする請求項１に記載の歯科治療椅子。
【請求項３】
前記撓み部材は、両側端がレッグレストのそれぞれの側端にルーズ結合された可撓性の薄板であることを特徴とする請求項１に記載の歯科治療椅子。
【請求項４】
前記薄板は、両側端に横長の穴を有し、該横長の穴が前記レッグレストの側端に設けられた支持軸に挿入されてルーズ結合されていることを特徴とする請求項３に記載の歯科治療椅子。
【発明の詳細な説明】
【技術分野】
【０００１】
本発明は、歯科治療椅子、より詳細には、歯科治療椅子に患者が仰向けに寝て歯科治療をうける場合、患者が椅子に寝たときに脚が開いてしまうことを防ぐことができ、また、レッグレストが個々の患者の脚の体形に効果的に整合するようにした歯科治療椅子に関する。
【背景技術】
【０００２】
図４は、従来の歯科治療椅子の一例を説明するための要部概略斜視図で、該歯科治療椅子は、周知のように、安頭台１１，バックレスト１２，コンターシート１３，レッグレスト１４，フットレスト１５等からなり、バックレスト１２がコンターシート１３に対して起倒可能な着座部１０と、該着座部１０を搭載し、該着座部１０を上下動及び傾斜動させる基台１６より成っている。
【発明の開示】
【発明が解決しようとする課題】
【０００３】
歯科治療にあたり、患者は着座部１０に座り、頭を安頭台１１に固定して治療を受ける。治療中、術者は着座部１０を上下動、起倒、傾斜動等させて、患者を治療しやすい姿勢にして治療を行うが、その際、歯科治療椅子に患者が仰向けに寝て歯科治療をうける場合、患者が椅子に寝たときに脚が開いてしまう。
【課題を解決するための手段】
【０００４】
本発明は、上記課題を解決するために、請求項１の発明は、レッグレストを有し、寝状態にて診療を受ける際、前記レッグレストに両脚を載せるようにした歯科治療椅子において、前記レッグレストは、脚を載せた時に脚の荷重で中央部が下方に撓む撓み部材で構成されていることを特徴としたものである。
【０００５】
請求項２の発明は、請求項１の発明において、前記撓み部材は、両側端がレッグレストのそれぞれの側端に固定された伸縮自在の部材であることを特徴としたものである。
【０００６】
請求項３の発明は、前記撓み部材は、両側端がレッグレストのそれぞれの側端にルーズ結合された可撓性の薄板であることを特徴としたものである。
【０００７】
請求項４の発明は、前記薄板は、両側端に横長の穴を有し、該横長の穴が前記レッグレストの側端に設けられた支持軸に挿入されてルーズ結合されていることを特徴としたものである。
【発明の効果】
【０００８】
歯科治療椅子に患者が仰向けに寝て歯科治療をうける場合、患者が椅子に寝たときに脚が開いてしまうことを防ぐことができ、また、レッグレストが個々の患者の脚の体形に効果的に整合し、安心して歯科治療を受けることができる。
【発明を実施するための最良の形態】
【０００９】
図１は、本発明による歯科治療椅子の寝診療状態を示す概略図で、前述のように、着座部１０を寝状態にし、その上に、患者が仰向けに寝て（口を上にして）、歯科治療を受ける。その場合、レッグレスト１４の脚を載せる面１４ａが平面或いは中央部が盛り上った状態になっていると、脚が開いてしまい、レッグレスト上に脚を安定して載せることができない。
【００１０】
本発明は、上述のごとき不具合を解決するためになされたもので、レッグレスト１４の表面１４ａを、脚を載せた時に、脚の荷重によって該レッグレストの中央部が、図示のように、下方に撓むようにし、両足が自然にレッグレスト１４の中央に寄るようにしたものである。
【００１１】
図２は、レッグレスト１４に脚ＦR，ＦLを載せた時のレッグレスト表面１４ａの様子を示す図で、このレッグレスト表面１４ａを構成する部材として、例えば、伸縮性の布部材を用い、その両側１４ａ’をそれぞれレッグレスト１４の側壁１４1に固定しておく。このようにしておくと、レッグレスト１４の表面１４ａは、脚が載っていない時は、平面に保たれているが、脚を載せると、その荷重によって、図示のように、中央部が下方に撓み、脚ＦR，ＦLを安定して載せることができ、脚が開いてしまうような心配はない。
【００１２】
図３は、撓み部材１４ａの他の例を示す図で、この例は、撓み部材１４ａとして、可撓性の薄板１４ａを用い、その両側にレッグレスト１４の横方向（幅方向）に横長の穴１４ｂを形成しておき、この長穴１４ｂをレッグレストの側部に設けられた支持軸１４2に挿通して、該薄板１４ａをレッグレスト１４の支持軸１４2にルーズ結合させておくようにしたものである。このようにすると、薄板１４ａに脚を載せた時に、該薄板１４ａは、脚の重みで中央部が下方に撓むが、同時に、長穴１４ｂと支持軸１４2とのルーズ結合により、その撓みが助けられ、より効果的に、薄板（レッグレストの脚を載せた面）１４ａが下方に撓み、患者の脚を安定して載せることができる。
【図面の簡単な説明】
【００１３】
【図１】本発明による歯科治療椅子の寝診療状態を示す概略図である。
【図２】レッグレストに脚を載せた時のレッグレスト表面の様子を示す図である。
【図３】撓み部材の他の例を示す図である。
【図４】従来の歯科治療椅子の一例を説明するための要部概略斜視図である。
【符号の説明】
【００１４】
１０…着座部、１１…安頭台、１２…バックレスト、１３…コンターシート、１４…レッグレスト、１４1…側壁、１４2…支持軸、１４ａ…レッグレスト表面（表面構成部材）、１４ｂ…長穴、１６…基台。
【図１】
2007236869.tif 000003
【図２】
2007236869.tif 000004
【図３】
2007236869.tif 000005
【図４】
2007236869.tif 000006
(57)【要約】【課題】歯科治療を行う際、患者は歯科治療椅子に長時間座ることがあるが、室温や治療への恐怖心から発汗して椅子シートとの間でムレを生じることがあり、不快な思いをする。又、前の患者のぬくもりが椅子シートに残っていることも不快な感覚につながる。【解決手段】バックレスト１２，コンターシート１３，レッグレスト１４等のシート部外装１２ａ，１３ａ，１４ａは、通気性を有する布帛等の部材で構成されている。これらシート内には、該シート内に空気を放出する空気流路３１を具備し、該空気流路３１に設けられた開口３２，３３，３４等からシート内に空気を放出する。これらシート内に放出された空気は前記通気性の外装を通して外部に放出され、患者との接触部におけるムレや前患者のぬくもり等をなくす。【選択図】図１
2007236867.tif 000002
【特許請求の範囲】
【請求項１】
通気性を有する外装で構成されたシートから成る歯科治療椅子において、前記シート内に空気を放出する空気流路を具備し、該シート内に放出された空気を前記通気性の外装を通して外部に放出するようにしたことを特徴とする歯科治療椅子。
【請求項２】
前記通気性の外装は、少なくとも、患者と接する面に形成されていることを特徴とする請求項１に記載の歯科治療椅子。
【請求項３】
前記空気は、暖空気、又は、冷空気、又は、乾燥空気、又は、香り付き空気であることを特徴とする請求項１又は２に記載の歯科治療椅子。
【発明の詳細な説明】
【技術分野】
【０００１】
本発明は、歯科治療椅子、より詳細には、治療椅子のシート外装に通気性の布帛を用いるとともに、空気流路を通してシート内に空気を放出し、シート表面と患者との間の通気性をよくした歯科治療椅子に関する。
【背景技術】
【０００２】
図２は、本発明が適用される歯科治療椅子の一例を説明するための要部構成図で、該歯科治療椅子は、安頭台１１，バックレストシート１２，コンターシート１３，レッグレストシート１４，フットレスシート１５等よりなる着座部１０と該着座部１０を移動可能に搭載した基台部２０等から成り、周知のように、歯科治療に当たり、患者は着座部に座り、頭を安頭台１１に固定して治療を受ける。治療中、着座部１０を基台部２０上で上下動，起倒，傾斜動等させて、患者を治療しやすい姿勢にして治療を行う。
【発明の開示】
【発明が解決しようとする課題】
【０００３】
上述のごとき歯科治療椅子において、従来、歯科治療を行う際、患者は歯科治療椅子に長時間座ることがあるが、室温や治療への恐怖心から発汗して椅子シートとの間でムレを生じることがあり、不快な思いをする。又、前の患者のぬくもりが椅子シートに残っていることも不快な感覚につながる。
【課題を解決するための手段】
【０００４】
本発明は、上述のごとき課題を解決するためになされたもので、通気性を有する外装で構成されたシートから成る歯科治療椅子において、前記シート内に空気を放出する空気流路を具備し、該シート内に放出された空気を前記通気性の外装を通して外部に放出するようにしたことを特徴としたものである。
【発明の効果】
【０００５】
歯科治療椅子のシート内部にあらかじめ空気を流すための流路を設けておくことにより、シート表面と患者との間の通気性をよくすることができる。また、その空気を暖めることで冬などの寒い時期にはシートヒーターとしての機能も果たす。また、その空気を冷やしておくことにより、夏等の暑い時期にシートを冷やしておくことができ、患者に爽快感を与えることができる。また、その空気を乾燥しておくことにより、前の患者が発汗して生じたムレをなくすことができる。また、その空気に香りをつけることで、患者への治療への恐怖心を和らげることも出来る。
【発明を実施するための最良の形態】
【０００６】
図１は、本発明による歯科治療椅子の一実施例を説明するための要部概略構成図で、図１（Ａ）は、着座部１０を寝状態にした時の要部側断面図、図１（Ｂ）は同状態の要部平断面図で、図中、図２に示した歯科治療椅子と同じ機能を有する部分には、図２の場合と同一の参照番号が付してある。而して、本発明においては、バックレストシート１２，コンターシート１３，レッグレストシート１４の外装１２ａ，１３ａ，１４ａは、少なくとも、患者と接する側の部分は通気性の布帛で構成されており、内部には、これらシート内に空気を送り込むための空気流路３１が設けられている。空気流路３１は、例えば、基台部２０内に設けられている空気供給源３０に連結されており、該空気供給源３０からの空気が空気流路３１を通して各シートに供給され、各シート内に設けられた開口３２，３３，３４を通して、それぞれのシート１２，１３，１４内に放出される。
【０００７】
各シート内に放出された空気は、各シートの通気性の外装部を通して外部へ放出されるが、この通気性の外装部は、少なくとも、患者と接する側の面に形成されており、この通気性の外装部を介して患者と接するようにすることにより、患者に好感を与えることができる。
【０００８】
空気供給源３０は、空気流路３１を通して各シートに供給する空気を生成するためのもので、例えば、外気を空気流路３１内に圧入するためのブロアを有し、更には、該ブロアからの空気を暖めるための加熱器、冷却するための冷却器、乾燥するための乾燥器、該ブロアからの空気に香り等を付加するための香料添加器等が設けられており、該空気流路３１を通して、暖空気、又は、冷空気、又は、乾燥空気、又は、香り付き空気等が供給される。
【図面の簡単な説明】
【０００９】
【図１】本発明による歯科治療椅子の一実施例を説明するための要部概略構成図である。
【図２】本発明が適用される歯科治療椅子の一例を説明するための要部構成図である。
【符号の説明】
【００１０】
１０…着座部、１１…安頭台、１２…バックレストシート、１３…コンターシート、１４…レッグレストシート、１５…フットレスシート、１２ａ，１３ａ，１４ａ…外装、２０…基台部、３０…空気供給源、３１…空気流路、３２，３３，３４…開口。
【図１】
2007236867.tif 000003
【図２】
2007236867.tif 000004
(57)【要約】【課題】一般的なパン酵母（イースト）を全く使用せずに、乳酸菌発酵によって生成されるガスで生地を膨らませる新規なパンを提供する。【解決手段】所定の粉生地に所定量（粉生地１００％重量に対して、菌培養液１〜３０％重量）のヘテロ発酵型乳酸菌を加えて捏ね上げ、長時間（８〜２４時間）乳酸発酵させて生地が充分に膨張した後に分割成型し、更にホイロ時間（二次発酵時間）を長くして二次発酵による生地膨張を促進させた後に、焼成して製出する。【選択図】図２
2007236238.tif 000002
【特許請求の範囲】
【請求項１】
所定の粉生地に所定量のヘテロ発酵型乳酸菌を加えて捏ね上げ、長時間乳酸発酵させて生地が充分に膨張した後に分割成型し、更にホイロ時間を長くして二次発酵による生地膨張を促進させた後に、焼成してなることを特徴とするパンの製造方法。
【請求項２】
所定の粉生地に、所定量のヘテロ発光型乳酸菌を加えて捏ね上げ、長時間乳酸発酵させて生地が充分に膨張した後に分割成型し、更にホイロ時間を長くして二次発酵による生地膨張を促進させた後に、焼成して製出してなることを特徴とするパン。
【発明の詳細な説明】
【技術分野】
【０００１】
本発明は、イースト発酵を行わないパン及びパンの製造方法に関するものである。
【背景技術】
【０００２】
イースト発酵を行わない所謂クイックブレッドとして、スコーンやマフィンが知られており、これらのクイックブレッドは、膨張材（ベーキングパウダー）を使用して生地を膨らませている。
【０００３】
またサワーブレッド等として知られているパンは、酸味や香味を醸し出すために乳酸菌を使用することが提案されている。然し、パン生地の発酵工程の３〜５時間程度では、菌の栄養分が、イースト菌によって使い尽くされてしまい同時に、イースト発酵によって生成されるアルコールによって乳酸発酵が著しく抑制され、乳酸生成量が少なくサワーブレッドとはならない。従前の乳酸菌添加は、単に通常のパンの風味改善のため使用されているにすぎない。そこで乳酸菌使用の場合の改善手段が種々提案されている（特許文献１，２，３）。
【０００４】
【特許文献１】特許３０８０９００号公報。
【特許文献２】特開２００１−２５８４６６号公報。
【特許文献３】特開２００５−２４５３３８号公報。
【発明の開示】
【発明が解決しようとする課題】
【０００５】
クイックブレッドは、膨張材（ベーキングパウダー）を使用するもので、この膨張材には炭酸アンモニウム、炭酸水素アンモニウム、炭酸水素ナトリウム、塩化アンモニウム、炭酸カルシウム、酒石酸水素カリウム、アンモニウムミョウバン等が配合されており、弱アルカリのアンモニアや二酸化炭素が機体になって食品を膨らませるもので、若干アルカリ的風味が残ってしまう。
【０００６】
また乳酸菌を生地に混入する場合には、乳酸菌による風味（酸味）を得るためには、特許文献１，２，３に開示されているとおり、イースト発酵とのバランスを考慮して種々の手順が要求される煩雑さがある。
【０００７】
そこで本発明者は、乳酸菌発酵によって生成されるガスでパンを膨らませるイースト無添加のパンを提案したものである。
【課題を解決するための手段】
【０００８】
本発明に係るパン及びパンの製造方法は、所定の粉生地に、所定量のヘテロ発酵型乳酸菌を使用して捏ね上げ、長時間乳酸発酵させて生地が充分に膨張した後に分割成型し、更にホイロ時間を長くして二次発酵による生地膨張を促進させた後に、焼成して製出することを特徴とするものである。
【０００９】
粉生地に適宜な添加物を加えると共に、一般的なパン酵母（イースト）を使用せずに、ガス生成能が高いヘテロ発酵型乳酸菌を適宜量（水１００に対して上白糖３０％重量（以下同じ）、酵母エキス０．４％、酢酸ナトリウム１％、塩化マグネシウム０．１％を加えた培地で、１ｍｌ中菌数が１０７個以上となるまで培養した乳酸菌液を、粉重量に対して１〜３０％で好ましくは５％）加えて捏ね上げ、長時間発酵（８〜２４時間）を行うと、発酵による生成ガスで生地を膨らませる。更に常法通りの製パン工程に則って分割成型し、ホイロ時間（二次発酵時間）を長くとり、生地が充分膨張した後に、焼き上げるもので、焼きあがったパンは、酸味が強い独特の風味を備えると共に、常温保存性に優れたものとなった。
【発明の効果】
【００１０】
本発明は上記の通りの構成で、一般的なパン酵母を全く使用せずに生地を乳酸発酵で膨化させたもので、麦のチーズというべき独自の風味を供えた新規なパンを提供できたものである。
【発明を実施するための最良の形態】
【００１１】
次に本発明の実施の形態について説明する。本発明の実施形態は、乳酸菌の混入量を相違させた二種の実施形態を示した。
【００１２】
第一実施形態の生地の構成は、図１に示すように、粉生地として強力粉を使用し、これに前記したヘテロ発酵型乳酸菌液（ＭＰ−４Ａ）５％重量（粉量を１００とした場合の比率）、上白糖５％重量、食塩２％重量、乳酸菌の増殖のための脱脂粉乳２％重量、ショートニング５％重量、水６５％重量である。
【００１３】
そして前記全材料をミキシング（ビータＭ１０分）して捏ね上げ（捏上温度２８℃）、一晩程度発酵させる（３０℃、湿度７５％の雰囲気下で行う）。発酵終了時の乳酸菌の量を計測した結果、生地１ｇ中に７．６×１０８個含まれていた。
【００１４】
発酵後にそのまま所定の大きさに分割型詰め（山形食パンの型に入れる）し、ホイロ工程（３８℃、湿度８０％雰囲気下で５時間放置）後、焼成（上下２２０℃、３０分）する。
【００１５】
製出されたパンは、やや焼き色が付きにくかったが、外観は通常のパンと変わらず、一般的なパンと比べて伸びが悪く重たいパンとなった。食味は乳酸菌による酸味が強く、独特な風味を備えていた。
【００１６】
また図２の表は、本発明の第二実施形態の生地の材料表・工程表であり、第一実施形態に比較して乳酸菌液量を２０％重量とし、この増加分に対応して水５０％重量としたものである。
【００１７】
その製造手順は、前記第一実施形態と同様で、全材料のミキシング（ビータＭ１０分）して捏ね上げ（捏上温度８７℃）、一晩（１２時間）程度発酵させ（３０℃、湿度７５％の雰囲気下で行う）、所定の大きさに分割型詰めし、ホイロ工程（３８℃、湿度８０％雰囲気下で５時間放置）後、焼成（上下２２０℃、３０分）する。
【００１８】
製出されたパンは、前記第一実施形態と同様に、外観は通常のパンと変わらないが、より以上酸味が強く、食感が全体としてしっとりとしてチーズのようであった。
【００１９】
また前記両実施形態のパンは、そのまま袋詰めして保存性を確認したところ、常温保存で、１ヵ月後も３ヶ月後も再加熱なしで食することができ、保存性に優れていることが確認できた。
【図面の簡単な説明】
【００２０】
【図１】本発明の第一実施形態の使用材料表・工程表。
【図２】本発明の第二実施形態の使用材料表・工程表。
【図１】
2007236238.tif 000003
【図２】
2007236238.tif 000004
(57)【要約】【課題】耐久性が高く、経済的で回収が容易な表層浮魚礁を提供する。【解決手段】浮体１０と、アンカー３０と、該浮体１０とアンカー３０とを繋ぐ係留索１２，２２，２３を有し、潮流の速度が遅い時には浮体１０の上部が海面上に出、潮流の速度が速い時には浮体１０全体が海中に引き込まれるように、該浮体１０の浮力が調整されており、且つ、該浮体１０に係留索４１を介して標識ブイ４０が取り付けられている。【選択図】図１
2007236291.tif 000002
【特許請求の範囲】
【請求項１】
浮体と、アンカーと、該浮体とアンカーとを繋ぐ係留索とを有する浮魚礁であって、該浮体の一部が海面上に出た状態と、浮体全体が海面下に位置する状態との間で、該浮体が潮流の速度に応じた位置を取るように該浮体の浮力が調整されており、該浮体に別途係留索を介して標識ブイが取り付けられていることを特徴とする浮魚礁。
【請求項２】
上記浮体とアンカーとを繋ぐ係留索に回収用フックが取り付けられている請求項１に記載の浮魚礁。
【発明の詳細な説明】
【技術分野】
【０００１】
本発明は、海面付近に浮かせて使用する浮魚礁に関する。
【背景技術】
【０００２】
従来の浮魚礁としては、基本的に、浮体と、当該浮体を海底につなぎ止めるアンカーと、該浮体とアンカーとを繋ぐ係留索とを有しており、該浮体の一部が常に海面上にある表層浮魚礁（特許文献１参照）や、浮体が常に海面下にある中層浮魚礁（特許文献２参照）が知られている。
【０００３】
【特許文献１】特開平６−１４６７５号公報
【特許文献２】実公昭５８−３６２７０号公報
【発明の開示】
【発明が解決しようとする課題】
【０００４】
しかしながら表層浮魚礁では、浮体の一部が常に海面上にあるように設計されており、潮流の速い時や大きな波が生じた時には浮体とアンカーとを繋ぐ係留索に大きな力がかかり、さらに、海面の上下変動等に対応するために係留索が長いことから、耐久性に問題があった。一方、中層浮魚礁では、浮体を常に海面下に置くため係留索が短く、常に緊張係留になるように設計されているため、耐久性に優れているが、浮体が常時海面下にあるために海上からの発見が困難であり、回収作業が繁雑であった。
【０００５】
さらに、従来の浮魚礁には回収のための手段が講じられていなかったため、回収には大型のウインチを用いる必要があり、回収費用が膨大であるという問題もあった。
【０００６】
本発明の課題は、耐久性が高く、経済的な表層浮魚礁を提供することにあり、さらには、回収作業が容易な浮魚礁を提供することにある。
【課題を解決するための手段】
【０００７】
本発明の浮魚礁は、浮体と、アンカーと、該浮体とアンカーとを繋ぐ係留索とを有する浮魚礁であって、該浮体の一部が海面上に出た状態と、浮体全体が海面下に位置する状態との間で、該浮体が潮流の速度に応じた位置を取るように該浮体の浮力が調整されており、該浮体に別途係留索を介して標識ブイが取り付けられていることを特徴とする。
【０００８】
上記本発明の浮魚礁において好ましくは、浮体とアンカーとを繋ぐ係留索に回収用フックが取り付けられている。
【発明の効果】
【０００９】
本発明によれば、浮体の浮力が調整されていることから、潮流が通常の速度の時は浮体の一部が海面上に出て従来と同様の表層浮魚礁として働き、潮流が速くなった時には浮体が海面下に引き込まれて従来の中層浮魚礁と同様の状態となり、従来の表層浮魚礁に比べて係留索にかかる力が緩和されることから、耐久性が向上する。また、浮体に標識ブイを取り付けているため、浮体全体が海面下に有る時でも当該浮魚礁の位置が容易に認識されるため、浮体に船舶が衝突する危険を回避することができる。さらに、係留索に回収用フックを取り付けておくことにより、通常の起重機のクレーンにより容易に当該浮魚礁を引き上げることができ、回収作業を経済的且つ効率よく行うことができる。
【発明を実施するための最良の形態】
【００１０】
図１に本発明の浮魚礁の好ましい実施形態の概略構成図を示す。本発明の浮魚礁は基本的に、浮体１０と、アンカー３０と、該浮体１０とアンカー３０とを繋ぐ係留索とを有し、図１の例においては、該係留索が浮体１０の下部に取り付けられた副係留索２１と上部主係留索２２と下部主係留索２３とからなる。また、アンカー３０と下部主係留索２３とはアンカーチェーン３１を介して連結されている。
【００１１】
図２に浮体１０の拡大図を示す。図２に示すように、本例の浮体１０は目の粗い網状の枠体１３の中に複数個のブイ１４を収納してなり、上部に取り付けた甲板１１に標識灯１２や流出警報発信機などの位置監視システム（不図示）が搭載されている。
【００１２】
本発明の浮魚礁においては、例えばブイ１４の個数を調整するなどして、潮流の速度が遅い時には、図２に示すように浮体１０の上部が海面上に出た状態となり、潮流の速度が速い時には、浮体１０全体が海中に引き込まれるように、浮体１０の浮力が調整されている。尚、係留索２１，２２，２３もこれに合わせて従来の表層浮魚礁よりも短く構成することができる。浮体１０が海中に引き込まれる潮流の速度としては、２．５ノット程度が好ましい。これにより、潮流が穏やかな状態では従来の表層浮魚礁と同様に浮体１０の上部が海面上に位置し、潮流の速度が速い時には、従来の中層浮魚礁と同様に浮体１０全体が海中に水没することにより、係留索２１，２２，２３にかかる力を従来の表層浮魚礁よりも大幅に緩和することができる。その結果、耐久性が向上する。
【００１３】
また、本発明においては、浮体１０に係留索４１を介して標識ブイ４０が取り付けられている。よって、浮体１０が海中に引き込まれて標識灯１２が海上から認識できない場合であっても、当該標識ブイ４０によって当該浮体１０の存在が認識されるため、当該浮体１０への船舶の衝突を回避することができる。標識ブイ４０は、夜間に海上からの視認が容易なように先端に標識灯を付設することが望ましい。
【００１４】
標識ブイ４０を浮体１０に繋げている係留索４１の長さは、当該浮魚礁を用いる海域を航行する船舶の喫水以上にしておくことが好ましい。これにより、標識ブイ４０が海中に引き込まれた状態では、海面から浮体１０までの深さが当該海域を航行する船舶の喫水以上となるため、浮体１０に船舶が直接衝突する危険を回避することができる。また、標識ブイ４０は浮体１０に比較すると小さく、軽いため、当該標識ブイ４０に船舶が衝突しても被害が小さい。
【００１５】
さらに本発明においては、係留索２１，２２，２３に回収用のフック２４を複数箇所に取り付けておくことが好ましい。これにより、通常の起重機のクレーンで順次、該フック２４をかけて引き上げることで当該浮魚礁を容易に回収することができる。
【図面の簡単な説明】
【００１６】
【図１】本発明の浮魚層の概略構成図である。
【図２】図１の浮魚礁の浮体の概略構成図である。
【符号の説明】
【００１７】
１０  浮体
１１  甲板
１２  標識灯
１３  枠体
１４  ブイ
２１  副係留索
２２  上部主係留索
２３  下部主係留索
２４  回収用フック
２５  クッションフロート
３０  アンカー
３１  アンカーチェーン
４０  標識ブイ
４１  係留索
【図１】
2007236291.tif 000003
【図２】
2007236291.tif 000004
(57)【要約】      （修正有）【課題】消火しにくい山野における火事を爆弾の爆風により消し、又同時に爆風により草木をなぎ倒し防火帯をつくり延焼を防止しようとしたものである。【解決手段】爆弾に無線機をつけ同時に多数の爆弾を破裂さすようにしたものである。又爆弾には転がり防止具をつけたものである。【選択図】図３
2007236910.tif 000002
【特許請求の範囲】
【請求項１】
爆薬に無線発火器をつけ無線信号で爆発さしその爆風で火を消し、風下の草木を薙ぎ倒し防火帯をつくるようにした爆弾。
【請求項２】
爆弾の投下地点外に爆弾が転がらないように爆弾に角をつける。傾斜地に爆弾を投下する場合は転がり落ちないようにさらにひっかかり網を爆弾につける。
【発明の詳細な説明】
［発明の詳細な説明］
【０００１】本火災消火爆弾は水  消化剤  人  機械  消防車等を利用しにくい山野等における火災の消火に使用するものである。
【０００２】［従来の技術］
今までの消防車のはいれないまた水のない山野における消火は飛行機  ヘリコプタ−人による水  消化剤等を運搬しての又防火帯での消火であった。油田における火災の消火は主に火薬による点火災での消火であった。
【０００３】［発明が解決しょうとする課題］
山野における火災は面と線の火災である。又消火するための水  消化剤は膨大な量で、長距離運搬しなければならない。防火帯も多人数を要する。結論として山野における火災防火は非常にこんなんであるということである。
【課題を解決するための手段】
【０００４】水や消化剤のかわりに爆弾を使って火炎を吹き飛ばして消火し乂その爆発力で防火帯をつくる。
【０００５】［使用方法］
山野の火災地の木や草の状態を見てそれが十分吹き飛ばせる火薬量の爆弾を主に飛行機かヘリコプタ−で投下して火炎線の風下の前方に並行にならべる。傾斜地ではその状態によっては転がり落ちるのを防ぐ網を爆弾につける。火炎線が爆弾の爆風の十分な範囲に入ると無線信号を発し爆弾を爆発さし、火炎を吹き飛ばして消火し、草木を風下になぎたおし防火帯をつくる。
【発明の効果】
【０００６】山野の消火に爆弾であれば水や消火剤等のように多量に運ぶ必要はなくそれらよりは非常に少量の量を運べばよい。飛行機  ヘリコプタ−等で短時間にはこべる。そのため早く短時間に経済的に安く初期消火できる。
【図面の簡単な説明】
【図１】    本発明の断面図
【図２】    本発明の斜視図
【図３】    本発明の実施例の斜視図
【符号の説明】
１は爆薬
２は無線電気発火器
３は角
４は網
５は爆弾
【図１】
2007236910.tif 000003
【図２】
2007236910.tif 000004
【図３】
2007236910.tif 000005
(57)【要約】      （修正有）【課題】目蓋の中に固形の商品を付ける事により自分の好きな所に二重のラインを作る。【解決手段】この様な商品を若きころ作り、自分の片方の目が一重だったのが、簡単に二重蓋に成った事により課題を解決する。【選択図】図３
2007236909.tif 000002
【特許請求の範囲】
【請求項１】
医療用のテープに使用の接着剤を固形にする事により、より安全で簡単な二重蓋形整物。
【請求項２】
原料が接着剤だけを特徴とする。
【発明の詳細な説明】
【技術分野】
【０００１】本発明は、一重蓋を二重蓋にする物。
【背景技術】
【０００２】従来の商品は、直接皮膚に塗る物とか、テープ状の物とか、柔らかな商品である。
【発明の開示】
【発明が解決しようとする課題】
【０００３】これらの商品では、使用がむづかしく、早く目蓋にたるみが出来にくい事を課題とする。
【課題を解決するための手段】
【０００４】そこで医療用のテープなどに使用の接着済を輪ゴムの用な固さに固形［図１］のように加工する。［図３］の［Ｂ］にたるみが出来て目蓋に癖がつき課題を解決する。
【発明の効果】
【０００５】商品を固くする事により、使用しやすい。
【発明を実施するための最良の形態】
【０００６】医療用の接着剤を固形にする事によりより安全に［図３］の［Ａ］の様に目蓋の中で形状を保つため（Ｂ）の皮膚が伸び癖が出来二重のラインが出来る。［Ｃ］
【図面の簡単な説明】
【０００７】
【図１】棒状に加工した平面図
【図２】商品の断面図
【図３】目蓋に商品を付けた状態の断面図
【符号の説明】
【０００８】１  丸い棒状の商品
２  固く加工した断面
Ａ  目蓋の中に付いている状態
Ｂ  目蓋が伸びて付いている状態
Ｃ  二重のライン
【図１】
2007236909.tif 000003
【図２】
2007236909.tif 000004
【図３】
2007236909.tif 000005
(57)【要約】【課題】反射神経と動体視力を養い、ボクシングや格闘枝のパンチを想定し、攻防をかねそなえた、デフィンス技術の向上を測る、パンチ想定器具を提供する。【解決手段】手動式で、手の握りとなる、図の２棒の穴に、３の長い棒を通し、１棒と前後に動く用に挟んで取り付け、握りとなる２棒の穴を通すことで、パンチとなるボールのブレを押さえることが出来、握りを相手に向けて定めることが、可熊となる。握り棒の１を、手首のスナップを利かせ、棒を打ち出すことにより、連動したボールが、飛び出した用に出り、予備動作の見えないパンチが実現する。又３の長い棒をパンチの軌道と見たてた、踏み込んだ攻めの練習が出来ることを特徴とする。【選択図】図１
2007236906.tif 000002
【特許請求の範囲】
【請求項１】
手の握りとなる、２の棒に穴を開け、ボール付きの、３の棒をその穴に通し、１の握りとなる棒に、前後に動くように挟んで、取り付け３の棒と連動出来る用にする。
以上のごとく構成された、ボクシングのパンチ想定器具。
【発明の詳細な説明】
【技術分野】
【０００１】  本発明は、ボクシングの練習で使う、手動式の動具であり、目のたんれんを、目的とした、動体視力の向上を測るための練習器具に関するものである。
【背景技術】
【０００２】  従来は、ボールやピンポン球などを大量に投げて、パンチと想定し、攻防技術、又は、動体視力を鍛えていた。後始末も大変で時間もかかる。
【発明の開示】
【発明が解決しょうとする課題】
【０００３】  従来の用に後で、ボールを拾い集めたり、球を投げることで、コントロールも定まらず、腕による予備動作で、ボールが飛んで来るのが分ってしまう。又、ボールを投げる方も、腕や、体が疲れる不都合を解決することを課題とする。
【課題を解決するための手段】
【０００４】  これを図面において説明すれば、図の３のボール付きの棒を、２の握りとなる棒の穴に通して、１の握り棒に、前後に動く用に取り付ける。２の握り棒で、相手に的を定め、１の握りとなる棒を、腕と手首のスナップで、４のボールを拳と見たて、パンチの用に打ち出す。以上の用な構成により、当てたい場所にボールを素早く打ち出せる練習器具である。
【発明の効果】
【０００５】  体力を使わず、手首のスナップにより、握りとなる棒と連動しているボールを、早く打ち出すことで、予備動作の見えない素早いパンチを想定した、動体視力の向上を測るうえで、より実戦的な練習が出来る用になった。
【発明を実施するための最良の形熊】
【０００６】  手の握りとなる棒は、約３０ｃｍ前後の物で、手首のスナップが、最も利きやすい長さにする。３の棒を２の棒の穴に通し、４のボールを打ち出した時の、ブレを押さえる。３と１が連動することにより、相手にボールが当たる距離が生れ、３の棒を長くすることで、相手との距離が取れ、全身が見え素早い動きに対応することが可熊になる。又、２の棒の、穴の周囲を、円形にすれば、遠近方で、相手は、腕すら見えない。
【産業上の利用可熊性】
【０００７】  本発明は、新規性をかねた物で、工業的に量産することが可熊であるため、産業上の利用可熊性を有する。
【図面の簡単な説明】
【０００８】
【図１】  本発明の斜視図である
【符号の説明】
【０００９】１は握りの棒
２は握りの棒
３は長い棒
４はボール
【図１】
2007236906.tif 000003
(57)【要約】【課題】虫の発生やアレルギーの心配のない天然素材の中材を使用した枕を提供することである。【解決手段】枕の中材として、油甘子の葉の部分、油甘葉を天日乾燥して水分をある程度除去し、その後、熱風乾燥した水分含有量が少なく、嵩高い乾燥葉を袋状の枕本体に収納した構成とする。【選択図】図１
2007236904.tif 000002
【特許請求の範囲】
【請求項１】
袋状の本体と、本体に収納された中材からなる枕で、前記中材が油甘子の葉を乾燥させた乾燥油甘葉であることを特徴とする枕。
【発明の詳細な説明】
【技術分野】
【０００１】本発明は、中材に天然素材を使用した枕に関する。
【背景技術】
【０００２】従来、枕の中材として天然素材では蕎麦殻が主に使用されている。それは種子の皮であって嵩が高く、通気性や吸湿性に富むため夏はひんやりと気持ちよく、また適度な固さと変形性を備えているのでフィット感がよいなど枕の中材として優れた特徴があるためである。【０００３】しかし、蕎麦殻は胚や胚乳を蕎麦粉として取り除いたものであるが、粉を完全に取り除くことは困難であり、その残った粉を餌とするダニ、穀蔵虫、チャタテ虫などの害虫が発生しやすく、不快感だけでなく衛生面でも問題がある。また、六ヶ月〜一年程使用すると殻が割れて粉が飛散するため、喘息の人や、もちろん蕎麦アレルギーの人に敬遠される一因となっている。合成樹脂製のパイプや低反発ウレタンであれば虫は発生しないが、化学物質過敏症の人に限らず、化学製品が肌に触れることは避けたいという人は少なからずいる。
【発明の開示】
【発明が解決しようとする課題】
【０００４】本発明の技術的課題は、前述した問題を解消するため、虫の発生やアレルギーの心配のない天然素材の中材を使用した枕を提供することである。
【課題を解決するための手段】
【０００５】前記課題を解決するため、本発明は袋状の本体と、本体に収納された中材からなる枕で、前記中材が油甘子の葉を乾燥させた乾燥葉である枕とする。
【発明の効果】
【０００６】中国福建省および華南・西南地方に分布し、山の斜面に生える樹高３〜８ｍの落葉亜高木でトウダイグサ科に属する油甘子という植物がある。根、葉、果実は主に漢方薬として用いられる。
この油甘子の葉の部分、油甘葉を天日乾燥して水分をある程度除去し、その後、熱風乾燥すれば、水分含有量が少なく、嵩高い乾燥葉とすることができる。【０００７】水分含有量が少なく、嵩高いということは、通気性がよく、夏でもひんやりと涼しいということである。しかし最も枕の中材として適していることは、この乾燥油甘葉には虫の栄養分となる成分が含まれておらず、また油甘子には天然の抗菌作用があり、乾燥油甘葉を中材として詰めた枕に害虫が発生することは極めて少ないという点である。【０００８】また蕎麦殻は比較的短期間で殻が潰れてしまうが、乾燥油甘葉はその構造上からも圧迫しても潰れるような形状でなく、従って破損した微粉が飛散することがない。そのため喘息やアレルギーの心配がないだけでなく、嵩高さと自然素材の心地よい感触を長期間保つことができる。さらに天然素材のほのかな香りが気持ちを落ち着かせ、安眠に誘う効果もある。
【発明を実施するための最良の実施の形態】
【０００９】本発明の実施するための最良の実施の形態は袋状の枕本体に油甘子の葉を乾燥させた乾燥油甘葉を中材として収納するものとする。
【実施例】
【００１０】本発明の実施例を図面に基づいて説明する。図１は本発明の実施例の概略説明図である。袋状の本体１の生地は綿が望ましいが、麻や絹、またポリエステル等の合繊繊維でもよい。【００１１】天然素材の枕は虫発生防止のために、こまめに干すのが望ましいが、そのままでは干しにくいため、ハンガー吊り下げ用のフック２を取り付けている。【００１２】開口部３は、製造時の中材収納のためであるが、二重ファスナーを設けており、消費者が、もし枕の高さが高すぎる場合、中材を取り除いて高さを調節する時に、うっかり中材が飛び出るのを防ぐために設けている。【００１３】乾燥油甘葉４は、油甘子の葉の部分、油甘葉を天日乾燥して水分をある程度除去し、その後、熱風乾燥して作られたもので、袋状の本体に収納して枕とする。【００１４】以上のように構成された枕は、害虫の発生がなく、また微粉の飛散もないので喘息やアレルギーの人、化学物質過敏症の人にも安心で、衛生的に気持ちよく長期間使用できるものである。
【図面の簡単な説明】
【図１】発明品の概略説明図
【符号の説明】
１  本体
２  フック
３  開口部
４  乾燥油甘葉
【図１】
2007236904.tif 000003
(57)【要約】      （修正有）【課題】外反母趾などの悪影響を及ぼさない、足の能力をより多く発揮させることが出来る靴を提供する。【解決手段】紳士・婦人・子供靴全般に亘って、足の指の形状に合った５本指のデザインを有する靴である。靴の底部(1)と上半分部にそれぞれ足の指の形状に適した切れ込み(2)を設ける。その後、用途に適した中敷を底部に接着させ、最後に底部と上半分部を接着させ５本指の靴を完成させる。【選択図】図１
2007236905.tif 000002
【特許請求の範囲】
【請求項１】
人間の足の５本指それぞれの形状に適した切れ込みを入れた靴の底部用と中敷用の部材からなる５本指の靴。
【請求項２】
人間の足の５本指それぞれの形状に適した切れ込みを入れた靴の上半分用の部材からなる請求項１の５本指の靴。
【発明の詳細な説明】
【技術分野】
【０００１】  本発明は、紳士・婦人・子供用の靴全般（タウン・カジュアル・スポーツ・競技用等）に亘って、従来に無い形状（５本指）の靴に関するものである。
【背景技術】
【０００２】  現在、市場で販売されている靴は、日本独特の地下足袋等一部の商品を除いては、全て袋状に足を包み込む形状となっている。
このことが、現代人の足に対して少なからず悪影響を及ぼしており、最近では、ソックス市場において従来の袋状のものではなく、５本指形状の商品が開発され、大きな支持を受けはじめている。
【発明の開示】
【発明が解決しようとする課題】
【０００３】  人間の足は、運動を行う際には「裸足」がその能力を最大限に発揮すると言われているが、危険や怪我防止のために靴を履くのが現代の常識である。
しかしながら、靴自体が袋状のために、本来の人間の足が持つ能力を発揮出来ていないどころか、様々な悪影響（外反母趾等）が出ている。
本発明は、「裸足」に近い状態の５本指の靴によって人間の持つ本来の能力をより多く発揮するためのものである。
【課題を解決するための手段】
【０００４】  靴の先に、足の５本指それぞれの大きさ・長さに応じた切れ込みを入れて、その靴を履く人は、それぞれの指を別々の切れ込みへと入れていく。
【発明の効果】
【０００５】  この靴を履く人は、自分の足の５本指がそれぞれに独立した感覚を得、その運動能力が「裸足」に近い形で発揮できる。
【発明を実施するための最良の形態】
【０００６】  以下、本発明の実施の形態を説明する。
（イ）天然ゴムや合成ゴム・天然皮革・合成皮革等の靴底（１）に、足の５本指の形状に合った切れ込み（２）を入れる。
（ロ）天然繊維や合成繊維・天然皮革・合成皮革等で作られる靴の上半分（３）に、足の５本指の形状に合った切れ込み（４）を入れて作製する。
（ハ）靴底（１）に、その靴の用途に適当な前半部が５本指の形状を設けた中敷（５）を接着させる。
（ニ）中敷が接着された靴底（１）と靴上半分（３）を接着させる。
本発明は以上の構成よりなる。
【図面の簡単な説明】
【０００７】
【図１】  本発明の斜視図
【図２】  本発明の平面図
【図３】  本発明の正面図
【符号の説明】
【０００８】（１）靴底、（２）靴底切れ込み、（３）靴上半分、（４）靴上半分切れ込み、（５）中敷
【図１】
2007236905.tif 000003
【図２】
2007236905.tif 000004
【図３】
2007236905.tif 000005